(57)【要約】【課題】刃先近傍のすくい面を冷却する構造を提供する。【解決手段】切削インサート１０は、すくい面２２と、すくい面２２の外周に形成される切れ刃２０と、すくい面２２を支持する基部２４と、すくい面２２を冷却する流体を流す内部冷却路４０とを備える。内部冷却路４０は、導入流路４４と冷却流路４２を有し、冷却流路４２は、被削材の切屑がすくい面２２に接触する領域の裏面側に設けられる。冷却流路４２は、すくい面２２から１．５ｍｍ以内の深さに設けられる。【選択図】図４
2020127983.tif 000002
【特許請求の範囲】
【請求項１】
すくい面と、
前記すくい面の外周に形成される切れ刃と、
前記すくい面を支持する基部と、
前記すくい面を冷却する流体を流す内部冷却路と、
を備えることを特徴とする切削インサート。
【請求項２】
前記内部冷却路は、被削材の切屑が前記すくい面に接触する領域の裏面側に設けられる、
ことを特徴とする請求項１に記載の切削インサート。
【請求項３】
前記内部冷却路の少なくとも一部は、前記領域の裏面側にて、前記すくい面に平行に延在するように設けられる、
ことを特徴とする請求項２に記載の切削インサート。
【請求項４】
前記内部冷却路は、すくい面から１．５ｍｍ以内の深さに設けられる、
ことを特徴とする請求項１から３のいずれかに記載の切削インサート。
【請求項５】
上面が前記すくい面となる薄板部材を備え、
前記基部と前記薄板部材の下面の間に、前記内部冷却路が設けられる、
ことを特徴とする請求項１から４のいずれかに記載の切削インサート。
【請求項６】
工具本体と、
前記工具本体に装着される請求項１〜５のいずれかに記載の切削インサートと、
前記内部冷却路に流体を供給するための供給口と、
を備えることを特徴とする切削工具。
【発明の詳細な説明】
【技術分野】
【０００１】
本開示は、切削インサートおよび切削工具に関する。
【背景技術】
【０００２】
切削時に発生する摩擦熱や剪断熱が工具刃先温度を上昇させ、熱的摩耗を生じさせることが知られている。切削加工中、発生する摩擦熱や剪断熱を吸収する目的で切削油剤が工具刃先に供給されるが、最も高温となる刃先近傍の工具すくい面は切屑に接触しているため切削油剤が到達せず、接触箇所の温度を十分に下げることは容易でない。
【０００３】
非特許文献１は、工具刃先を装着するシャンクに貫通穴をあけ、冷却槽からシャンクの貫通穴を通って冷却槽に戻る冷却液の循環回路を備えた冷却切削装置を開示する。
【先行技術文献】
【非特許文献】
【０００４】
【非特許文献１】岡本定次等、「工具内部冷却法による切削（第１報）」、精密機械、１９７２年５月、３８巻５号
【発明の概要】
【発明が解決しようとする課題】
【０００５】
非特許文献１は、冷却されたシャンクを介して工具刃先を冷却する構造を開示するが、最も高温となる刃先近傍のすくい面は、冷却液が通過するシャンク貫通穴から離れているため、冷却効率が高いとはいえない。
【０００６】
本開示はこうした状況に鑑みてなされており、刃先近傍のすくい面を冷却する構造を提供することにある。
【課題を解決するための手段】
【０００７】
上記課題を解決するために、本発明のある態様の切削インサートは、すくい面と、すくい面の外周に形成される切れ刃と、すくい面を支持する基部と、すくい面を冷却する流体を流す内部冷却路と、を備える。
【０００８】
本発明の別の態様の切削工具は、工具本体と、内部冷却路を備えた切削インサートと、内部冷却路に流体を供給するための供給口と、を備える。
【発明の効果】
【０００９】
本開示によれば、刃先近傍のすくい面を冷却する構造を提供できる。
【図面の簡単な説明】
【００１０】
【図１】温度分布解析結果を示す図である。
【図２】実施形態に係る切削工具の概略構成を示す図である。
【図３】切れ刃周辺の拡大図である。
【図４】切削工具の断面を示す図である。
【図５】基部本体の構成を示す図である。
【図６】薄板部材の構成を示す図である。
【図７】切削工具の断面の変形例を示す図である。
【図８】基部本体の上面を示す図である。
【発明を実施するための形態】
【００１１】
本開示の実施形態を説明する前に、刃先近傍のすくい面の温度上昇について説明する。
図１（ａ）は、工具（tool）が被削材（workpiece）を切削しているときの温度分布解析結果を示し、図１（ｂ）は、刃先近傍の温度分布解析結果を拡大したものである。
【００１２】
図１（ａ）に示すように、切屑（chip）は、切削直後に刃先近傍のすくい面と接触する。刃先近傍のすくい面には切屑から摩擦熱および剪断熱が伝達され、刃先より高温となることが観察される。この解析では、すくい面の最高温度が１０００度近くまで上昇した。１０００度近傍の温度は、高温強度が高い超硬合金製インサートであっても、熱的摩耗を生じさせる可能性がある。
【００１３】
この解析によると、約１０００度の最高温度に対して、刃先から被削材の切取り厚さ（２次元切削における切込み量）の５倍程度離れた位置では、２００度近くの温度まで下がっている。これは切屑とすくい面との接触箇所から十分に離れているためであり、したがって冷却するべき箇所が、接触箇所の近傍でなければならないことが解析から明らかである。実用的な多くの切削条件において切取り厚さが数十μｍ（ミクロン）から三百ミクロン程度までであることを考慮すると、冷却するべき箇所は刃先から１．５ｍｍ以内である必要がある。
【００１４】
また、すくい面と切屑との接触長さは、被削材の切取り厚さと相関があることが知られている。この相関関係は厳密には切削速度、工具刃先形状等にも依存するが、実用的な条件を採用した場合、すくい面と切屑との接触長さは、図１に示す例のように切取り厚さの数倍以下となる。実用的な多くの切削条件において、切取り厚さが数十ミクロンから三百ミクロン程度までであることを考慮すると、接触長さも１．５ｍｍの範囲内に収まる。以下、これらの考察をふまえて、本開示の実施形態を説明する。
【００１５】
図２は、実施形態に係る切削工具の概略構成を示す。切削工具１は、鋼材により形成されるシャンク２を備える。シャンク２は工具本体であって、切削インサート１０を装着するシャンク先端部２ａと、切削加工時に工作機械によって保持される被保持部２ｂとを有する。シャンク先端部２ａの上面は、被保持部２ｂの上面より一段高く形成され、シャンク先端部２ａの上面先端側の一部に、切削インサート１０およびシート部材１２を装着するための切り欠き部が設けられる。
【００１６】
切削インサート１０およびシート部材１２は超硬合金等の硬質材料から形成され、切り欠き部に配置されて、クランプ部材１４によりシャンク２に固定される。なお切削インサート１０およびシート部材１２は他の手段によってシャンク２に固定されてよく、たとえば切削インサート１０およびシート部材１２を貫通するねじ穴が設けられ、ねじ部材によりシャンク２に直接固定されてもよい。なお切削インサート１０がシート部材１２を介さず、シャンク先端部２ａの切り欠き部に直接固定されてもよい。
【００１７】
図３は、切削インサート１０の切れ刃周辺を拡大した図である。切削インサート１０は、すくい面２２と、すくい面２２の外周に形成される切れ刃２０と、すくい面２２を支持する基部２４とを備える。実施形態の切削インサート１０は、すくい面２２の対角線上に位置する２つの切れ刃２０を備えるが、各角部に切れ刃２０を備えてもよい。
【００１８】
基部２４、シート部材１２およびシャンク先端部２ａには、すくい面２２を冷却する流体を流す内部冷却路４０が設けられる。内部冷却路４０に供給される冷却用流体は、たとえば水溶性切削油剤や不水溶性切削油剤などの液体であってよいが、冷却空気などの気体であってもよい。切削工具１では、シャンク先端部２ａの下面に、内部冷却路４０の入口となる供給口３２が形成され、切削インサート１０の基部２４の切れ刃２０近傍の逃げ面に、内部冷却路４０の出口となる複数の流路開口３０ａ、３０ｂ、３０ｃ（以下、特に区別しない場合には「流路開口３０」と呼ぶこともある）が形成される。内部冷却路４０は、供給口３２からシャンク先端部２ａの内部を通り、シート部材１２を貫通して、すくい面２２の直下まで延びる導入流路と、すくい面２２の裏面側にてすくい面２２に平行に流路開口３０まで延在する冷却流路を有する。実施形態において、すくい面２２に平行とは、所期の目的を逸脱しない範囲で実質的に平行な形態を含んでよい。
【００１９】
図４は、切削工具１を、一対の切れ刃２０が設けられたすくい面２２の対角線に沿って切断した断面を示す。なおクランプ部材１４の図示は省略している。内部冷却路４０は、供給口３２からすくい面２２の直下まで延びる導入流路４４と、導入流路４４の終端からすくい面２２に平行に流路開口３０まで延在する冷却流路４２とを有する。
【００２０】
導入流路４４は、シャンク先端部２ａに形成される第１導入流路４４ａと、シート部材１２に形成される第２導入流路４４ｂと、切削インサート１０の基部２４に形成される第３導入流路４４ｃを有する。図４に示す導入流路４４は、シャンク先端部２ａの下面に対して垂直に直線状に形成されているが、第１導入流路４４ａが屈曲して、供給口３２がシャンク先端部２ａの側面に設けられてもよい。供給口３２は、工作機械により冷却用流体を供給しやすい位置に設けられることが好ましい。冷却用流体の漏れを防止するために、各部材の突き合わせ面はシーリングを施されてもよい。
【００２１】
冷却流路４２は、すくい面２２と平行な溝状流路として形成される。冷却流路４２は、少なくとも被削材の切屑がすくい面２２に接触する領域の裏面側に設けられる。冷却流路４２は、供給口３２から導入流路４４を通過して供給される冷却用流体を、すくい面２２に沿って切れ刃２０の直下に形成された流路開口３０に向けて流し、切れ刃２０の近傍のすくい面２２を冷却する役割をもつ。
【００２２】
実施形態の切削インサート１０は、上面にすくい面２２を有する薄板部材５２と、薄板部材５２を支持する基部２４を構成する基部本体５０とを備え、基部本体５０の上面に薄板部材５２の下面（裏面）を合わせることで、冷却流路４２が形成される。
【００２３】
図５（ａ）は、基部本体５０の上面を示し、図５（ｂ）は、上面の一部断面を示す。基部本体５０の上面には、冷却用流体を流すための複数の冷却流路４２ａ、４２ｂ、４２ｃ（以下、特に区別しない場合には「冷却流路４２」と呼ぶ）が互いに平行に設けられる。冷却流路４２は、少なくとも、すくい面２２における切れ刃２０の位置から、切屑がすくい面２２に接触する領域を結ぶ区間にわたって設けられる。上記したように実用的な条件下では、切屑とすくい面２２との接触長さが刃先から１．５ｍｍの範囲内に収まる。そこで冷却流路４２は、切れ刃２０の刃先位置から１．５ｍｍ程度の区間に設けられていればよい。実施形態の冷却流路４２は、第３導入流路４４ｃの上方終端から、すくい面２２における切れ刃２０の位置に対応する角部に向かって延在するように形成される。
【００２４】
図６（ａ）は、薄板部材５２の上面を示し、図６（ｂ）は、薄板部材５２の下面を示す。薄板部材５２の上面はすくい面２２であり、外周に複数の切れ刃２０を形成される。薄板部材５２の下面は基部本体５０の上面に合わせて配置され、基部本体５０と薄板部材５２の下面の間に、冷却流路４２が設けられる。
【００２５】
冷却効率を高めるため、冷却流路４２は、すくい面２２から１．５ｍｍ以内の深さに設けられることが好ましい。実施形態で冷却流路４２のすくい面２２からの深さは、冷却流路４２の上面とすくい面２２との距離で定義され、したがって薄板部材５２の厚みに等しい。薄板部材５２の強度を確保しつつ、薄板部材５２の冷却効率を高めるために、冷却流路４２のすくい面２２からの深さ、すなわち薄板部材５２の厚みを、０．２ｍｍ以上、１．５ｍｍ以下の範囲に設定することが好ましく、より好ましくは０．２ｍｍ以上、１ｍｍ以下の範囲に、さらに好ましくは０．２ｍｍ以上、０．５ｍｍ以下の範囲に設定してよい。
【００２６】
なお薄板部材５２は、靱性が小さい超硬合金で形成されるため、上記の深さに比べて冷却流路４２の幅Ｗａが広いと、薄板部材５２が割れる可能性がある。そこで流路幅Ｗａは、所定長さ以下に設計され、具体的には深さと同程度以下であることが好ましい。また薄板部材５２の割れを回避するために、流路幅Ｗａと流路間長さＷｂの比（Ｗａ／Ｗｂ）は、１以下に設定されることが好ましい。
【００２７】
切削インサート１０を、基部本体５０と薄板部材５２の２つの部材で形成することで製作が容易となる。また使用中に流路開口３０が切屑で塞がれた場合に、基部本体５０から薄板部材５２を外すことで、切屑を容易に取り除くことができる。また切れ刃２０が摩耗した場合、薄板部材５２を交換するだけでよく、基部本体５０を再利用できるメリットもある。
【００２８】
以上、本開示を実施形態をもとに説明した。この実施形態は例示であり、それらの各構成要素や各処理プロセスの組合せにいろいろな変形例が可能なこと、またそうした変形例も本開示の範囲にあることは当業者に理解されるところである。
【００２９】
実施形態では、基部本体５０の上面に冷却流路４２を形成したが、薄板部材５２の下面に冷却流路４２を形成してもよく、基部本体５０の上面および薄板部材５２の下面の双方に冷却流路４２を形成してもよい。また実施形態では、導入流路４４をシート部材１２およびシャンク先端部２ａにも形成したが、第３導入流路４４ｃを形成せずに、他方の切れ刃２０側の流路開口３０から冷却用流体を供給することも可能である。
【００３０】
図７は、変形例に係る切削工具の概略構成を示す。図８は、変形例における基部本体５０の上面を示す。図４に示す冷却構造は、冷却用流体を切れ刃２０直下の流路開口３０から排出するが、図７に示す冷却構造は、乾式加工に対応し、シャンク先端部２ａの下面に設けた流路開口３０から冷却用流体を排出する。
【００３１】
変形例において内部冷却路は、供給口３２からすくい面２２の直下まで延びる導入流路４４と、導入流路４４の終端からすくい面２２に平行に延在する冷却流路４８ｄ、４８ｅ、４８ｆ、４８ｇ、４８ｈ、４８ｉ（以下、「冷却流路４８」と呼ぶ）と、すくい面２２の直下から流路開口３０まで延びる排出流路４６とを有する。図７に示すように、内部冷却路４０の入口となる供給口３２、および内部冷却路４０の出口となる流路開口３０は、シャンク先端部２ａの下面に形成される。
【００３２】
冷却流路４８は、すくい面２２と平行な溝状流路として形成され、少なくとも被削材の切屑がすくい面２２に接触する領域の裏面側に設けられる。冷却流路４８は、供給口３２から導入流路４４を通過して供給される冷却用流体を、すくい面２２に沿って切れ刃２０近傍の領域を通過するように排出流路４６に向けて流し、切れ刃２０の近傍のすくい面２２を冷却する役割をもつ。この変形例で切れ刃２０は、すくい面２２の４つの角部に形成されてよい。
【００３３】
切屑とすくい面２２との接触長さが刃先から１．５ｍｍの範囲内に収まるという考察にもとづき、並列に設けられた複数の冷却流路４８は、切れ刃２０の刃先位置から１．５ｍｍの範囲内をカバーするように設けられることが好ましい。
【００３４】
図４および図７に示す例では、切削インサート１０が、基部本体５０および薄板部材５２の２つの部材から形成されたが、一体構造として形成されてもよい。たとえば切削インサートを焼結により製造する際に、内部冷却路となる形状の低融点材料を埋め込んだ超硬合金粉末を圧縮成形した後、高温で焼成することで、低融点材料が溶出して、内部冷却路が構成されるようにしてもよい。
【００３５】
なお実施形態では、切削工具１の工具本体としてシャンク２を示したが、切削工具１は旋削用工具に限らず、カッターボディを有するフライス工具であってもよい。
【００３６】
本開示の態様の概要は、次の通りである。本開示のある態様の切削インサートは、すくい面と、すくい面の外周に形成される切れ刃と、すくい面を支持する基部と、すくい面を冷却する流体を流す内部冷却路とを備える。
【００３７】
この態様によると、切削インサートの内部に冷却路を形成することで、切削インサートを効率的に冷却できるようになる。
【００３８】
内部冷却路は、被削材の切屑がすくい面に接触する領域の裏面側に設けられてよい。接触領域の裏面側に内部冷却路を設けることで、冷却効率を高められる。内部冷却路の少なくとも一部は、領域の裏面側にて、すくい面に平行に延在するように設けられてよい。
【００３９】
内部冷却路は、すくい面から１．５ｍｍ以内の深さに設けられることが好ましい。すくい面から１．５ｍｍ以内の深さに内部冷却路を設けることで、冷却効率を高められる。切削インサートは、上面がすくい面となる薄板部材を備えて、基部と薄板部材の下面の間に、内部冷却路が設けられてもよい。
【００４０】
本開示の別の態様の切削工具は、シャンクなどの工具本体と、内部冷却路を有する切削インサートと、内部冷却路に流体を供給するための供給口と、を備えてもよい。
【符号の説明】
【００４１】
１・・・切削工具、２・・・シャンク、２ａ・・・シャンク先端部、２ｂ・・・被保持部、１０・・・切削インサート、１２・・・シート部材、１４・・・クランプ部材、２０・・・切れ刃、２２・・・すくい面、２４・・・基部、３０・・・流路開口、３２・・・供給口、４０・・・内部冷却路、４２・・・冷却流路、４４・・・導入流路、４６・・・排出流路、４８・・・冷却流路、５０・・・基部本体、５２・・・薄板部材。
【図１】
2020127983.tif 000003
【図２】
2020127983.tif 000004
【図３】
2020127983.tif 000005
【図４】
2020127983.tif 000006
【図５】
2020127983.tif 000007
【図６】
2020127983.tif 000008
【図７】
2020127983.tif 000009
【図８】
2020127983.tif 000010